(57)【要約】【課題】チケット用紙固有の情報を検知後にその情報を印字面に反映させようとすると印字可能範囲が狭くなってしまう。【解決手段】用紙センサ手段により、発券するチケット用紙の一方の面に設けられた前記チケットを特定するコードより得られた情報を元に前記チケットとは異なるチケット用紙に設けられたチケットを特定するコードを算出することで、チケット用紙固有の情報検知完了前にチケット固有情報を得ることが出来、これによりチケット用紙固有の情報を検知完了前にその情報を印字面に反映させることが出来る。【選択図】  図２
2014041533.tif 000002
【特許請求の範囲】
【請求項１】
発券するチケット用紙の、一方の面に発券するチケットを特定する第１のコードが設けられた第１のチケット用紙及び、この第１のチケット用紙につながった、一方の面に発券するチケットを特定する第２のコードが設けられた第２のチケット用紙を搬送するチケット用紙搬送手段と、
前記第１のチケット用紙と前記第２のチケット用紙とを切断する切断手段と、
前記第１のチケット用紙および前記第２のチケット用紙のチケット用紙に設けられた前記コードを検知する用紙センサ手段と、
この用紙センサ手段により検知された前記第１のコードより得られた情報を元に前記第２のチケット用紙を特定する第２のコードを算出するコード算出手段と、
を有するチケットプリンタ。
【請求項２】
前記コード算出手段は、前記第２のコードを規則性に則って算出する請求項１に記載のチケットプリンタ。
【請求項３】
前記チケット用紙へ印字する印字手段をさらに有し、前記第２のチケット用紙への印字は、前記第１のチケット用紙に設けられたチケットを特定するコードの検知を完了する前に開始する請求項１に記載のチケットプリンタ。
【請求項４】
前記第１のチケット用紙および前記第２のチケット用紙のチケット用紙に設けられた前記コードを検知する際の前記第１のチケット用紙および前記第２のチケット用紙の搬送方向と、前記第１のチケット用紙および前記第２のチケット用紙への印字をおこなう際の前記第１のチケット用紙および前記第２のチケット用紙の搬送方向は同一である請求項１または請求項３に記載のチケットプリンタ。
【請求項５】
発券するチケット用紙の、一方の面に発券するチケットを特定する第１のコードが設けられた第１のチケット用紙及び、発券するチケット用紙の、一方の面に発券するチケットを特定する第２のコードが設けられた第２のチケット用紙を搬送するチケット用紙搬送手段と、
前記第１のチケット用紙と前記第２のチケット用紙に設けられた前記コードを検知する用紙センサ手段と、
前記用紙センサ手段により検知された前記第１のチケット用紙に設けられた前記第１のコードより得られた情報を元に前記第２のチケット用紙に設けられた前記第２のチケットを特定する第２のコードを算出するコード算出手段と、
を有するチケットプリンタ。
【発明の詳細な説明】
【技術分野】
【０００１】
本発明の実施形態は、チケットプリンタに関する。
【背景技術】
【０００２】
コンサートのチケット、映画鑑賞用チケット等各種チケットを発券する店舗は数多く存在しており、チケット購入希望者はこれらチケット発券店舗へ行きチケットの購入をおこなう。
【０００３】
これらチケットの発券は各店舗に設置されている情報管理端末とこれにつながっているホストコンピュータとのやり取りにてチケットの発券情報を得、上位ホストコンピュータより得た発券許可情報を元に前記情報管理端末に接続されているプリンタにて発券をおこなう。
【０００４】
これらプリンタは、発券の際、その固有のチケット番号等を発券店舗名などと共にホストコンピュータに対し送付する。ホストコンピュータではこれら固有チケット番号、発券店舗情報、チケット発券情報を関連付けて保管している。この情報を元に、どのチケットはいつどこで発券されたものか、そのチケット用紙の固有の情報は何番なのか等が追跡可能となっている。
【０００５】
ここでチケットの券面に記載されているコード情報の印刷が問題ないかを判断するために一度出力したチケットを再度スキャンすることがおこなわれている。
【０００６】
またチケットに予め記載されている固有チケット番号の検知とチケットへの印刷は同時に終了することも知られている。同時に終了するので固有チケット番号やこのチケット番号を使用した情報は印刷面には反映することが出来ない。
【先行技術文献】
【特許文献】
【０００７】
【特許文献１】特開２００６−１６８０８６号公報
【特許文献２】特許第４７２５１４８号明細書
【発明の概要】
【発明が解決しようとする課題】
【０００８】
チケットの発券に際しては、ホストコンピュータにおいて、固有のチケット番号、発券店舗情報、チケット発券情報を関連付けて保管し、後に必要に応じて各種情報を追跡可能となっている。しかしながらチケット番号、発券店舗情報、チケット発券情報とがうまく関連付けが出来ていない状態でチケットは発券されてしまった場合、そのチケットは使用できないものであるにもかかわらずお客さんの手元に渡ってしまうこととなり問題となる。またうまく関連付けられていないチケットが存在することとなり、後に各種情報を追跡することが出来ない。
【０００９】
また全てのチケットについて、正規に関連付けが出来たかを全数別の機器等で確認していたのでは別の機器が必要となると同時に繁忙時には次のチケット発券希望者を待たせることとなってしまう。
【００１０】
本発明は、チケット用紙に予め記載されている固有チケット番号の検知途中においても、チケット番号、発券店舗、チケット番号情報とが正しく関連付けられた正規チケットかが印刷面にて判断できるチケット発券システムおよびチケットプリンタを提供するものである。
【課題を解決するための手段】
【００１１】
発券するチケット用紙の、一方の面に前記チケットを特定するコードが設けられたチケット用紙を搬送するチケット用紙搬送手段と、前記チケット用紙に設けられた前記コードを検知する用紙センサ手段と、この用紙センサ手段により検知された前記コードより得られた情報を元に前記チケットとは異なるチケット用紙に設けられたチケットを特定するコードを算出する算出手段とを有している。
【図面の簡単な説明】
【００１２】
【図１】本発明の第１の実施形態によるチケット発券システムのシステム構成図。
【図２】本発明の第１の実施形態によるチケットプリンタの構成を示す構造図。
【図３】本発明の第１の実施形態によるチケットプリンタの上カバーを開放した際の構成を示す構造図。
【図４】本発明の第１の実施形態によるチケットプリンタの搬送部を示す平面図。
【図５】本発明の第１の実施形態によるチケットプリンタに用いるチケット用紙を示す平面図。
【図６】本発明の第１の実施形態によるチケットプリンタの制御ブロック図。
【図７】本発明の第１の実施形態による外部サーバの構成例を示すブロック図。
【図８】本発明の第１の実施形態によるＰＯＳ端末の構成例を示すブロック図。
【図９】本発明の第１の実施形態によるチケットプリンタのスタンバイ状態確認を示す流れ図。
【図１０】本発明の第１の実施形態によるチケット発券システムの発券の流れを示す流れ図。
【図１１】本発明の第１の実施形態によるチケットプリンタのチケット固有データ取得開始時の位置関係側面図。
【図１２】本発明の第１の実施形態によるチケットプリンタのチケット固有データ取得終了時の位置関係側面図。
【図１３】本発明の第１の実施形態によるチケットプリンタのスタンバイ完了時の位置関係側面図。
【図１４】本発明の第１の実施形態によるチケットプリンタの印字可能範囲の位置関係側面図。
【図１５】本発明の第１の実施形態による複数枚のチケット用紙がつながった状態におけるチケット用紙説明図。
【発明を実施するための形態】
【００１３】
以下に本発明の一実施形態にかかるチケットプリンタおよびそのチケットプリンタを備えたチケット発券システムを図面を参照して詳細に説明する。なお今回は映画のチケットを購入する場合を例に説明する。
【００１４】
（第１の実施形態）
一実施形態のシステム構成例を図１に示す。
【００１５】
この商品販売システム１０５は、チケット内容を把握し管理している外部サーバ１０３とこの外部サーバ１０３にネットワークで接続されている店舗Ａ１、店舗Ｂ２および店舗Ｃ３とからなる。
【００１６】
店舗Ａ１はチケットの発券をおこなうＰＯＳ端末４と、このＰＯＳ端末４からの発券指令に基づき実際のチケットを出力するチケットプリンタ５を有する。
【００１７】
店舗Ｂ２はチケットの発券をおこなうＰＯＳ端末４と、このＰＯＳ端末４からの発券指令に基づき実際のチケットを出力するチケットプリンタ５を有する。
【００１８】
店舗Ｃ３はチケットの発券をおこなうＰＯＳ端末４と、このＰＯＳ端末４からの発券指令に基づき実際のチケットを出力するチケットプリンタ５を有する。
【００１９】
ここで店舗数は３にて説明をしているが、このシステムにおける店舗数は１、２店舗もしくは４店舗以上であってもなんら問題はない。
【００２０】
図２乃至図４に本実施形態にかかるチケットプリンタ５の要部構成を示す。図２はチケットプリンタ５の使用状態を、図３はプリンタ上カバー７を開放している状態を示している。なお、このプリンタでは、図２において、巻軸１３に巻回されているチケット用紙８は図中Ｃ方向に回転し、搬送の際は右側から左側に向けて搬送されるので、以下の説明においては、図２中右側を上流側、左側を下流側とする。
【００２１】
チケットプリンタ５はプリンタ下カバー９に対し、プリンタ上カバー７が支軸１０を回動中心として開閉可能に取り付けられている。チケット用紙８は裏面１２が内側になるような状態で巻軸１３に巻回されており、この巻軸１３はチケットプリンタ５に回転自在に支持されている。巻回されたチケット用紙８はその下流にあるフィードローラ１４と、このフィードローラ１４に対し用紙搬送路１５を挟んで対向配置されているアイドラローラ１６との挟持により下流側に搬送される。
【００２２】
フィードローラ１４の下流には、チケット用紙８の裏面１２に設けられているコードを認識する第１のセンサ１７および第２のセンサ１８が設けられている。
【００２３】
さらにその下流にはプラテンローラ１９が設けられ、このプラテンローラ１９に対し用紙搬送路１５を挟んでサーマル印字ヘッド２０が対向配置されている。
【００２４】
さらにその下流にはカッタ２１が配置されている。このカッタ２１は固定刃２２と可動刃２３とを有しており、カッタ２１のスリット(図示せず)に挿入されてきたチケット用紙８を固定刃２２に向け可動刃２３を図示しないモータ駆動によりスライド移動することで切断する。
【００２５】
ここでカッタ２１は固定刃２２に向け可動刃２３がスライド移動するいわゆるスライド式カッタで説明したがこれに限定されるものではなく、固定刃に対し可動刃が回転することで用紙を切断するいわゆるロータリー式カッタであってもよい。
【００２６】
さらにカッタ２１の下流側には、チケット用紙８の表面１１に対してサーマル印字ヘッド２０にて印字を実施した後、カッタ２１にて所定の長さに切断後チケットプリンタ５から排出する排出口２４が設けられている。またプリンタ下カバー９における排出口２４の下方には切断されたチケット用紙８を保持する排出テーブル２５が設けられている。
【００２７】
またチケットプリンタ５のプリンタ上カバー７には表示部２６が設けられている。この表示部２６はＬＣＤ等の液晶ディスプレイであり、チケット発券時の情報を表示したり、またチケットプリンタ５におけるチケット用紙８の紙詰まり、チケット用紙８の用紙切れ等のエラー表示をおこなう機能を有している。
【００２８】
図４は図３におけるＡ方向より用紙搬送路１５を見た要部構成図である。また図５（ａ）（ｂ）に一例としてのチケット用紙８の表面１１と裏面１２の印刷例を示す。
【００２９】
図４中右側が上流側で左側が下流側であり、チケット用紙８は図中右から左に向かって図中Ｄ方向に、チケットプリンタ５に設けられている一対の搬送横ガイド２７によりチケット用紙８は斜行することを防ぎながら搬送される。用紙搬送路１５にはチケット用紙８の裏面１２に設けられたブラックマーク２８（図５（ｂ）参照）を検知する第１のセンサ１７と、チケット用紙８の裏面１２に設けられたカットマーク２９、スタートマーク３０、チケット固有データ３１、チェックデジット３２およびエンドマーク３３（いずれも図５（ｂ）参照）を検知する第２のセンサ１８がチケット用紙８の搬送方向に対して直交する方向で並んで設けられている。
【００３０】
図５に示す様に、チケット用紙８は複数枚のチケット用紙８がつながった状態でロール状に巻回されチケットプリンタ５に装填される。図５においては１枚目であるチケット用紙８につながっている２枚目のチケット用紙をチケット用紙８−２として示している。図５（ａ）はチケット用紙８の表面１１を示したもので、サーマル印字ヘッド２０にてその券面に印字をおこなう。
【００３１】
図５（ｂ）はチケット用紙８の裏面１２を示したものである。チケット用紙８の裏面１２には予めブラックマーク２８、カットマーク２９、スタートマーク３０、チケット固有データ３１、チェックデジット３２およびエンドマーク３３が設けられている。これら各マークについては後述する。なおここではチケット用紙８の裏面１２に設けられているチケット固有データ３１は前記チケット用紙８の搬送方向に沿って並ぶ白色や黒色のブロックを複数列並べたものをチケット固有データ３１としているが、これに限定するものではない。例えばバーコードや二次元コード、英数字等であってもなんら問題なく、これらを総称してコードと呼ぶ。
【００３２】
チケット用紙８はカッタ２１にて図５（ａ）（ｂ）に二点鎖線にて示すカット位置３４にて切り離され発券される。
【００３３】
またチケット用紙８には予めミシン目３５が設けられている。このミシン目３５にてチケット用紙８は半券Ａ３６と半券Ｂ３７とに容易に切り離すことが可能となっており、例えば、チケット用紙８の実際の使用時において、半券Ａ３６を会場で担当者に渡し半券Ｂ３７を控えとしてチケット購入者に渡す使い方をする。
【００３４】
図６に、上述したチケットプリンタ５の制御部９０の一例を示す。この制御部９０は、用紙搬送の制御をおこなう手段、印刷の制御をおこなう手段、用紙切断の制御をおこなう手段、用紙排出の制御をおこなう手段とからなっている。またチケットプリンタ５はＰＯＳ端末４、外部サーバ１０３とも接続されている。
【００３５】
この制御部９０は、ＰＯＳ端末４や外部サーバ１０３との連係および各種の制御の実行をおこなう、例えば、マイクロコンピュータで構成されている。制御部９０の中央処理装置（ＭＰＵ）９１は、プログラムに従って用紙搬送制御、印字制御、用紙切断制御、用紙排出制御等の各種の制御や演算をおこなう。
【００３６】
このＭＰＵ９で実行する制御プログラムや制御または演算途上のデータや外部サーバからのデータ等を格納する主記憶手段としてＲＯＭ９２およびＲＡＭ９３が設置されている。ＲＯＭ９２は制御プログラムやテーブル等を持つ読出し専用メモリであり、ＲＡＭ９３は演算途上のデータや外部サーバからのデータ等を格納する随時書込みメモリである。
【００３７】
また、この制御部９０には、外部サーバ１０３からの各種の入力データの取込みや、外部サーバ１０３への制御部９０の制御出力の取出しをおこなう入出力ユニット（Ｉ／Ｏ）９４が設けられている。このＩ／Ｏ９４は、ＭＰＵ９１、ＲＯＭ９２およびＲＡＭ９３とをバスを通じて連係されている。
【００３８】
また、このＩ／Ｏ９４には制御出力を取り出すための手段として、第１から第６のドライバ９５、ドライバ９６，ドライバ９７，ドライバ９８，ドライバ９９およびドライバ１００が接続されている。フィードローラ１４はＭＰＵ９１のチケット用紙８の搬送指令手段としての制御出力に基づき、図示しないモータによりこのフィードローラ１４に対し用紙搬送路１５を挟んで対向配置されているアイドラローラ１６との挟持によりチケット用紙８を下流側に搬送する。
【００３９】
また制御部９０のＭＰＵ９１はドライバ９６を介して印字機構３８に対して印字および用紙搬送の指令を出す。
【００４０】
また制御部９０のＭＰＵ９１はドライバ９７を介してチケット用紙８の裏面１２に予め設けられているブラックマーク２８を検知する指令を第１のセンサ１７に対して出す。
【００４１】
また制御部９０のＭＰＵ９１はドライバ９８を介してチケット用紙８の裏面１２に予め設けられているカットマーク２９、スタートマーク３０、チケット固有データ３１、チェックデジット３２およびエンドマーク３３を検知する指令を第２のセンサ１８に対して出す。
【００４２】
印字機構３８は、図２にて説明したサーマル印字ヘッド２０およびプラテンローラ１９を備えている。このプラテンローラ１９は、ＭＰＵ９１の印字指令手段としての制御出力に基づき、図示しないモータにより印字動作と同期して回転駆動される。サーマル印字ヘッド２０は、外部サーバ１０３からの印字データに基づいて、チケット用紙８に印字をおこなう。
【００４３】
また、制御部９０のＭＰＵ９１はドライバ９９を介してカッタ２１を駆動させチケット用紙８を切断する。
【００４４】
また、制御部９０のＭＰＵ９１はドライバ１００を介して表示部２６にチケットプリンタ５のチケット発券時の情報やエラー内容等を表示する。
【００４５】
また、プリンタ５は次に発券されるチケットのチケット固有データ３１を保管する次発券チケット固有データ保管部１０１を有している。
【００４６】
図７に外部サーバ１０３の一例を示す。
【００４７】
外部サーバ１０３は、データ送受信部５１、店舗チケット情報５２、チケット販売情報保管部５３、条件保管部５４、チケットデータ保管部５５、チケットデータ送信部５６、発券可否判断部５７、正規チケット判断部５８、追跡データ条件入力部５９、関連付けデータ保管部６０、次チケット固有データ作成部６１、次チケット固有データ条件部６２および次チケット固有データ保管部６３を備えている。
【００４８】
チケット用紙８は複数枚のチケット用紙８をロール状に巻回してあるが、これらチケット用紙８の裏面に予め設けられているチケット固有データ３１は全て異なるデータとなっている。またこのチケット固有データ３１は同一の店舗内に装填されている複数枚のチケット用紙８で全てが異なるデータであるのみならず他店舗である店舗Ｂ２や店舗Ｃ３に装填されているチケット用紙８の全てのチケット用紙８記載のデータとも異なっている。
【００４９】
なおチケット用紙８の裏面１２に予め設けられているチケット固有データ３１は、他店舗のチケット用紙８の記載データは異なっているものの、店舗内の発券前後のチケット用紙とはある規則性を有して関連付けられている。
【００５０】
より詳しく述べると、１枚目のチケット用紙に記載されているチケット固有データ３１は次に発券される２枚目のチケット用紙に記載されているチケット固有データ３１との間にある規則性が存在している。なお１枚目のチケットにおいては前に発券されたチケットは存在していないため後ろのチケット用紙に記載されているチケット固有データ３１との間に規則性が存在している。２枚目のチケット用紙に記載されているチケット固有データ３１は次に発券されると３枚目のチケット用紙に記載されているチケット固有データ３１との間にも、規則性が存在している。前述したように２枚目のチケットは前に発券されたチケットである１枚目のチケット用紙に記載されているチケット固有データ３１との間にもある規則性が存在している。なお、この規則性については後述する。
【００５１】
データ送受信部５１は、外部サーバ１０３とＰＯＳ端末４やチケットプリンタ５との間でのデータのやり取りを仲介する。
【００５２】
チケット固有データ３１は各店舗にチケットプリンタ５に用いる為にチケット用紙８が送られた時点で外部サーバ１０３に店舗チケット情報５２として保管されている。
【００５３】
チケット販売情報保管部５３は、映画会社、映画館等より入手した発券可能な映画チケットの情報（日付、時間、映画名、上映場所、座席等）を保管している。
【００５４】
条件保管部５４は、店舗Ａ１に来たチケット発券希望者もしくは店舗Ａ１にいるチケット発券代理手続者がＰＯＳ端末４を介して希望するチケットの条件を一時保管する部分であり、例えば○月○日のＡ映画館のＢという映画名といったデータが保管される。
【００５５】
チケットデータ保管部５５は、発券するチケットのデータを一時保管する。
【００５６】
チケットデータ送信部５６は、後述するＰＯＳ端末４のチケット発券指令部７５からのチケット発券依頼を受領し、チケットデータ保管部５５に対してチケットデータの送信、保管の指示や、チケットデータをチケットプリンタ５に対して送付する。
【００５７】
発券可否判断部５７は、チケット販売情報保管部５３のデータと条件保管部５４のデータとを比較し、チケット発券希望者が入力した条件でチケットの発券が可・不可のいずれかであるかを判断する。また店舗チケット情報５２と次チケット固有データ保管部６３とのデータを比較し、次のチケット用紙が正規のチケットであるかを判断する。
【００５８】
正規チケット判断部５８は、チケットデータ保管部５５のデータと、店舗チケット情報５２とを比較し、正規の店舗から発券されたチケットであるか、正規のチケット用紙を用いているかを判断する。
【００５９】
追跡データ条件入力部５９は、発券されたチケットに対し何らかの理由でそのチケットの発券内容を追跡することとなった場合の検索条件を保管するとともに、関連付けデータ保管部６０よりこの条件の発券済チケットの情報を抽出する。
【００６０】
関連付けデータ保管部６０は、正規チケット判断部５８にて正規チケットであると判断された場合に、チケットデータと店舗チケット情報５２との関連付け後の情報を保管する。
【００６１】
次チケット固有データ取得部６１は、チケットプリンタ５の次発券チケット固有データ保管部１０１より入手した次チケット固有データ３１を取得して記憶する。
【００６２】
次チケット固有データ条件部６２は、発券するチケットと発券するチケットの一枚前に発券したチケットとの規則性、発券するチケットと発券するチケットの一枚後に発券するチケットとの規則性を記憶する。
【００６３】
次チケット固有データ保管部６３は、次チケット固有データ作成部６１のデータに対して次チケット固有データ条件部６２の条件にて作成した次に発券するチケットのチケット固有データ３１を保管する。
【００６４】
図８に、ＰＯＳ端末４の一例を示す。
【００６５】
ＰＯＳ端末４は、データ送受信部７１、チケット固有データ保管部７２、チケット発券条件入力部７３、チケットデータ保管部７４、チケット発券指令部７５、チケット固有データ送信部７６を備えている。
【００６６】
データ送受信部７１は、ＰＯＳ端末４と外部サーバ１０３やチケットプリンタ５との間でのデータのやり取りを仲介する。
【００６７】
チケット固有データ保管部７２は、チケットプリンタ５より受信したチケット固有データ３１を保管する。
【００６８】
チケット発券条件入力部７３は店舗Ａ１に来たチケット発券希望者もしくは店舗Ａ１にいるチケット発券代理手続者が希望するチケットの条件を入力する部分であり、例えば○月○日のＡ映画館のＢという映画名といったデータが保管される。
【００６９】
チケット発券指令部７５は、外部サーバ１０３の発券可否判断部５７での発券可能との情報を得て、外部サーバ１０３のチケットデータ送信部５６へチケット発券の依頼をおこなう。
【００７０】
チケット固有データ送信部７６は、チケット固有データ保管部７２のデータを外部サーバ１０３の次チケット固有データ作成部６１へ送る。
【００７１】
以下、チケットの購入の方法を図６乃至図１３を用いて説明する。
【００７２】
チケットプリンタ５には次発券チケット固有データ保管部１０１が設けられている。この次発券チケット固有データ保管部１０１には後述する様に次に発券されるチケット用紙に記載されているチケット固有データ３１が保管されている。
【００７３】
この次発券チケット固有データ保管部１０１に保管されているデータはプリンタの電源のＯＮ／ＯＦＦでは消去されることはないが、プリンタ５のチケット用紙８を装填する部分に設けられている図示しない用紙切れセンサが用紙切れを検知した場合や何らかの理由にてチケットプリンタ５から巻回された状態のチケット用紙８を取り出した場合等用紙切れセンサが用紙切れを検知した場合には次発券チケット固有データ保管部１０１に保管されているデータは消去される様に設定されている。また新規にチケットプリンタ５を設置した場合においても次発券チケット固有データ保管部１０１には何のデータも保管されていない。
【００７４】
またチケットプリンタ５の制御部９０は、次発券チケット固有データ保管部１０１にデータが保管されていない場合は、チケット用紙８のカット位置を決定するカットマーク２９を検知してもこのカットマーク２９を無視し、カッタ２１を駆動させない設定としてある。
【００７５】
チケットの発券において、チケットプリンタ５へのチケット用紙８の装填を含めチケットプリンタ５をチケット発券前に発券スタンバイ状態にする必要がある。このスタンバイ状態確認を図９のフローチャートおよび図１１乃至図１３を用いて説明する。
【００７６】
チケットプリンタ５のスタンバイ状態であるが、前回のチケット発券状況によってそのスタンバイ状態への移行が異なる（Ｓ１）。
【００７７】
チケット用紙８が装填された状態でチケットプリンタ５の電源が入れられると、チケットプリンタ５の制御部９０はまず初めに次発券チケット固有データ保管部１０１にデータは保管されているかを確認する（Ｓ２）。
【００７８】
次発券チケット固有データ保管部１０１にデータが保管されていない場合（Ｓ２のＮ）は、チケットプリンタ５に用紙を装填した際、図示しない用紙切れセンサが用紙切れを検知した場合、何らかの理由にてチケットプリンタ５から巻回された状態のチケット用紙８を取り出した後の場合もしくは新規にチケットプリンタ５を設置した場合のいずれかである。
【００７９】
次発券チケット固有データ保管部１０１にデータがない場合、チケットプリンタ５に電源を入れると、チケットプリンタ５はチケット用紙８を搬送させる（Ｓ３）。
【００８０】
図１１乃至１３に、第１のセンサ１７、第２のセンサ１８とチケット用紙８の表面１１、チケット用紙８の裏面１２の位置関係を示す。なお、図１１乃至図１３のいずれの図においても、（ａ）はチケット用紙８の表面１１を図２におけるＡ方向から見たものを、（ｂ）はチケット用紙８の裏面１２を図２におけるＢ方向から見たものである。
【００８１】
チケット用紙８は、フィードローラ１４とアイドラローラ１６に挟持され下流側に搬送されまず初めに第１のセンサ１７にてチケット用紙８の裏面１２に設けられているブラックマーク２８を検知する（Ｓ４）。このブラックマーク２８を第１のセンサ１７にて検知するとそのチケット用紙８は定形のチケット用紙であると判断される。
【００８２】
チケット用紙８の裏面１２には予めカットマーク２９、スタートマーク３０、チケット固有データ３１、チェックデジット３２およびエンドマーク３３が存在している。
【００８３】
その後引き続き搬送が継続され、やがてチケット用紙８に設けられているカットマーク２９を第２のセンサ１８が検知する（Ｓ５）。この状態を図１１に示す。
【００８４】
ここで前述の様に、チケットプリンタ５の制御部９０は、次発券チケット固有データ保管部１０１にデータが存在していないためカットマーク２９を無視する（Ｓ６）。これによりチケット用紙８はカッタ２１にて切断されることなく引き続き搬送が継続される。
【００８５】
引き続きチケット用紙８の搬送が継続されると、次に第２のセンサ１８はスタートマーク３０を検知する（Ｓ７）。このスタートマーク３０を検知することでそれ以降の検知したデータはチケット固有データ３１であると認識されＲＡＭ９３に順次記憶される（Ｓ８）。なお本実施形態ではチケット固有データ３１は９個設けられているとして記載してある。
【００８６】
搬送が継続され９個のチケット固有データ３１がＲＡＭ９３に記憶された後、第２のセンサ１８はチェックデジット３２を検知する（Ｓ９）。このチェックデジット３２を検知するとチケット固有データ３１の記載が終了であると認識するとともにチェックデジット３２と比較して正しくチケット固有データ３１が認識されたかを確認する。
【００８７】
引き続きチケット用紙８の搬送が継続されると、次に第２のセンサ１８はエンドマーク３３を検知する（Ｓ１０）。
【００８８】
図１２はこの状態を示している。このエンドマーク３３を検知するとチケットプリンタ５はチケット固有データ３１の検知が完了したと判断し、外部サーバ１０３の次チケット固有データ作成部６１に対して検知したチケット固有データ３１を送信する。
【００８９】
外部サーバ１０３は前記チケット固有データ３１を次チケット固有データ作成部６１にて受信すると、予め次チケット固有データ条件部６２に保管されている規則性の条件式に則って新しいチケット固有データを作成し（Ｓ１１）、次チケット固有データ保管部６３に保管するとともにこのデータをチケットプリンタ５の次チケット固有データ保管部１０１に上書きする（Ｓ１２）。これによりこれ以降チケットプリンタ５の次チケット固有データ保管部１０１にはデータが存在することとなる。なおここで、次チケット固有データ６３に保管する際、店舗チケット情報５２を参照し、チケット固有データ６３が正しいかを正規チケット判断部５８にて判断し、もし正しくないと判断した場合は、チケットプリンタ５の表示部２６にエラー表示をおこなう。
【００９０】
一例としてチケット用紙８に記載されているチケット固有データ３１の規則性を下記に記載する。
【００９１】
例えば、店舗Ａに納入されるチケット固有データ３１はその９桁のうち初めの４桁は全て固定値であるＡとし、残りの５桁は００００１から始まる数字とし、規則性に関しては順次この５桁の数字は１だけ加算されるものとする。
【００９２】
この規則性によると、１枚目のチケットにおけるチケット固有データ３１はＡＡＡＡ００００１となり、２枚目のチケットにおけるチケット固有データ３１はＡＡＡＡ００００２となる。すなわち新規に装填されたチケット用紙８の１枚目のチケット固有データ３１がＡＡＡＡ００００１であった場合、この次チケット固有データ作成部６１は、順次５桁の数字の部分に１加算するという規則に則ってＡＡＡＡ００００２というチケット固有データ３１を新規に作成する。
【００９３】
これを図１５にて説明する。図１５（ａ）はチケット用紙８とそれにつながっているチケット用紙８−２を、図１５（ｂ）はチケット用紙８−２とそれにつながっているチケット用紙８−３を示している。なお図１５は便宜上（ａ）と（ｂ）に分けて記載しているが、実施のチケット用紙は全てがつながった状態にて巻回されており、チケット用紙８、チケット用紙８−２、チケット用紙８−３・・・とつながっている。
【００９４】
ここで前述のようにチケット固有データ３１はその９桁のうち初めの４桁は全て固定値Ａであり、残りの５桁は００００１から始まる数字としてある。また規則性に関しては順次この５桁の数字は１ずつ加算されるものとしてある。この条件を元に考えると、１枚目のチケット用紙であるチケット８のチケット固有データ３１ＡがＡＡＡＡ００００１であった場合、規則性に則り２枚目のチケット用紙であるチケット８-２のチケット固有データ３１ＢはＡＡＡＡ００００２となる。また記載はしてないが３枚目のチケット用紙であるチケット８−３のチケット固有データはＡＡＡＡ００００３となる。
【００９５】
チケットプリンタ５はスタンバイ完了との情報を得るまで、このスタンバイ状態確認を繰り返す。
【００９６】
ここで再び次発券チケット固有データ保管部１０１にデータがあるかを確認する（Ｓ２）。なお前述のようにこの時点では次発券チケット固有データ保管部１０１にはデータが存在しているので（Ｓ２のＹ）、チケット用紙８は、引き続き下流側に搬送されると、第１のセンサ１７はチケット用紙８の次のチケット用紙８−２裏面１２に設けられているブラックマーク２８を検知する（Ｓ１３）。
【００９７】
以下２枚目のチケット用紙８はチケット用紙８−２、３枚目のチケット用紙８はチケット用紙８−３と記す。
【００９８】
ブラックマーク２８を第１のセンサ１７にて検知するとそのチケット用紙８は定形のチケット用紙であると判断される。
【００９９】
その後引き続き搬送が継続されると、カットマーク２９を第２のセンサ１８が検知する。
【０１００】
チケットプリンタ５の制御部９０はカットマーク２９を検知するとカッタ２１を駆動させチケット用紙８を切断し、チケット用紙８の搬送を停止する。なおこのチケット用紙８はスタンバイ状態に移行する為に用い、表面１１にも何の印字も行なっていないため廃棄する。
【０１０１】
この状態を図１３に示す。これにてチケットプリンタ５はスタンバイ状態に移行したとの情報を得る。
【０１０２】
以上の方法にて新規にプリンタを導入した場合、用紙切れとなった場合若しく何らかの理由にて用紙を本体より取り出した場合はスタンバイ状態にする。
【０１０３】
また前回正常にチケットを発券した場合は後述する様にチケットを発券した時点にて既にスタンバイ位置にて用紙は停止している。
【０１０４】
以下図１０のフローチャートを用いてチケット発券方法の一例を示す。
【０１０５】
チケット購入希望者は店舗Ａ１に行き（Ｓ２１）、ＰＯＳ端末４のチケット発券条件入力部７３に希望する上映時間、希望する映画名、希望する映画館等の条件を入力する（Ｓ２２）。ＰＯＳ端末４は、Ｓ２２にて、所定の条件を受け付けると、その条件をＰＯＳ端末４に設けられているデータ送受信部７１経由にてその条件でチケットが購入可能かを外部サーバ１０３に問合せる（Ｓ２３）。外部サーバ１０３は店舗Ａ１のＰＯＳ端末４より送付されてきた条件を条件保管部５４に保管し、その後発券可否判断部５７にてチケット販売情報保管部５３と条件保管部５４とを比較しチケットの発券が可能かを判断しその結果をデータ送受信部５１を経由して店舗Ａ１のＰＯＳ端末４に返信する。
【０１０６】
ここでチケット発券不可との返信があった場合（Ｓ２３のＮ）、店舗Ａ１のＰＯＳ端末４は別の条件でチケットを購入するかをチケット購入者に問合せる（Ｓ２４）。ここでチケット購入者が別条件での購入を希望しない場合（Ｓ２４のＮ）、チケットの購入は中止となる（Ｓ２６）。なお、Ｓ２４におけるチケット購入者が別条件での購入を希望しない場合とは、例えば、ＰＯＳ端末４が操作者により入力部を介した「購入終了」が指示されたことを検知した場合である。またチケット購入者が別条件での購入を希望する場合（Ｓ２４のＹ）、新たな条件を入力させ（Ｓ２５）、その条件を再度外部サーバ１０３に送信し、その条件でチケットが購入可能かを外部サーバ１０３に問合せる（Ｓ２３）。
【０１０７】
外部サーバ１０３は店舗Ａ１のＰＯＳ端末４より送付されてきた条件でチケットが発券可能との返信を店舗Ａ１のＰＯＳ端末４に送信した場合（Ｓ２３のＹ）、店舗Ａ１のＰＯＳ端末４はチケット発券指令部７５より外部サーバ１０３に対してチケット発行依頼を送信する（Ｓ２７）。
【０１０８】
外部サーバ１０３はこの発券依頼を受けると、チケットデータ送信部５６は店舗Ａ１のＰＯＳ端末４のチケットデータ保管部７４に向けチケットデータを送信する（Ｓ２８）と共に外部サーバ１０３のチケットデータ保管部５５にチケットデータを保管する。その後外部サーバ１０３のチケット販売情報保管部５３より前記チケットデータを削除する。
【０１０９】
また外部サーバ１０３の次チケット固有データ保管部６３のデータとチケットデータ保管部５５のデータとを関連付けて関連付けデータ保管部６０に保管する（Ｓ２９）。
【０１１０】
その後店舗Ａ１のＰＯＳ端末４は、チケットデータ保管部７４のデータをチケットプリンタ５に送信する。
【０１１１】
チケットプリンタ５は、チケット用紙８の表面１１にチケットデータを順次印字する（Ｓ３０）。
【０１１２】
チケットプリンタ５はチケット用紙８の表面１１にチケットデータを順次印刷しながら、これと並行して第２のセンサ１８にてスタートマーク３０、チケット固有データ３１、チェックデジット３２およびエンドマーク３３を検知し（Ｓ３１からＳ３４）、エンドマーク３３を検知するとＰＯＳ端末４のチケット固有データ保管部７２にチケット固有データ３１を送る（Ｓ３５）。
【０１１３】
その後ＰＯＳ端末４はチケット固有データ保管部７２のデータをチケット固有データ送信部７６から外部サーバ１０３の次チケット固有データ作成部６１へ送る。
【０１１４】
外部サーバ１０３は次チケット固有データ条件部６２にある条件を参照し次チケット固有データ作成部６１のチケット固有データからチケット固有データ３１を作成する。
【０１１５】
以下本実施形態の印字位置について説明する。
【０１１６】
従来において発券するチケット用紙８の裏面１２に記載されているチケット固有データ３１とチケット情報が正しく関連付けられたかの確認をおこなう場合、当該チケットのチケット固有データ３１を検知後、そのデータを外部サーバ１０３に送り確認していた。この為当該チケットのチケット固有データ３１を印字に反映させる場合、チケット固有データ３１の検知後でなければならず、図１４に示すＰの領域に印字するかもしくはチケット用紙８を逆方向に搬送させ、Ｐ領域よりチケット用紙８の上流側に印字をさせる必要があった。
【０１１７】
このため従来は印字領域が狭いといった問題や逆方向への搬送による制御の複雑化ならびにチケット発行時間の長時間化といった問題が発生する。
【０１１８】
しかしながら本発明によればチケット用紙８の表面１１に印字をおこなう場合、既にその前のチケット用紙８の印字時に得たチケット固有データ３１を元に当該チケット用紙のチケット固有データ３１は外部サーバ１０３にて管理されている。
【０１１９】
この為、本実施形態によれば、チケット用紙８の裏面１２に設けられているチケット固有データ３１と、チケットデータとの関連付けの結果をチケット用紙８の表面１１に印字することが可能であるとともに印字するデータとの関連付けの成功／失敗の管理は印字の時点で判明している。従って図１４のＰ領域でなくチケット用紙８の先頭からでも印字が可能となり、チケットデータとチケット固有データ３１との関連付けが失敗している場合でもチケット用紙８の先頭部にその旨印字が可能となり不具合の情報をいち早く提供することが可能となる。また逆方向への搬送も不要となり、チケット発行時間の長時間化も防ぐことが可能となる。
【０１２０】
また本実施形態においては、一方の面に発券するチケットを特定するコードが設けられた第１のチケット用紙と、一方の面に発券するチケットを特定するコードが設けられた第２のチケット用紙がつながった状態にて巻回された状態でプリンタ５に装填され、第１のチケット用紙と第２のチケット用紙をカッタ２１にて切断するプリンタとなっている。
【０１２１】
しかしながら必ずしも第１のチケット用紙と第２のチケット用紙がつながっている必要はなく、例えば第１のチケット用紙、第２のチケット用紙をそれぞれ単票状態とし、それらを積層保持し順次印字機構部に対して搬送する事でも良い。
【０１２２】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更をおこなうことができる。これらの実施形態やその変形は、発明の範囲や要旨に含まれると共に、特許請求の範囲に記載された発明とその均等の範囲に含まれる。
【符号の説明】
【０１２３】
１・・店舗Ａ
４・・ＰＯＳ端末
５・・チケットプリンタ
８・・チケット用紙
１７・・第１のセンサ
１８・・第２のセンサ
１９・・プラテンローラ
２０・・サーマル印字ヘッド
２１・・カッタ
３１・・チケット固有データ
１０３・・外部サーバ
１０５・・商品販売システム
【図１】
2014041533.tif 000003
【図２】
2014041533.tif 000004
【図３】
2014041533.tif 000005
【図４】
2014041533.tif 000006
【図５】
2014041533.tif 000007
【図６】
2014041533.tif 000008
【図７】
2014041533.tif 000009
【図８】
2014041533.tif 000010
【図９】
2014041533.tif 000011
【図１０】
2014041533.tif 000012
【図１１】
2014041533.tif 000013
【図１２】
2014041533.tif 000014
【図１３】
2014041533.tif 000015
【図１４】
2014041533.tif 000016
【図１５】
2014041533.tif 000017